(57)【特許請求の範囲】
【請求項１】
真空チャンバー内に連続して存在する磁場ゼロの位置である環状磁気中性線を形成するための磁場発生手段と、前記磁気中性線に沿って交番電場を加えて前記磁気中性線に放電プラズマを発生するための高周波コイルとを備えたプラズマ発生装置を有し、ハロゲン系のガスを主体とする気体を前記真空チャンバー内に導入し、プラズマを形成するとともに導入気体を分解し、発生した原子、分子、ラジカル、イオンの少なくともいずれかを利用し、前記プラズマに接する基板電極に交番電場或いは高周波電場を印加して前記基板電極上に載置された基板をエッチングする反応性イオンエッチング装置において、
前記プラズマ発生装置の設けられる前記真空チャンバー部分の壁部を円筒状の誘電体で構成し、前記誘電体の外部に前記磁場発生手段を配置して、前記真空チャンバー内に前記環状磁気中性線を形成し、
前記真空チャンバー内の下部に高周波バイアスを印加する前記基板電極を設け、
前記プラズマを発生するための少なくとも一対の前記高周波コイルを、前記真空チャンバーの前記円筒状の誘電体と前記磁場発生手段の間であって、前記磁気中性線が形成される面に平行に配置し、それぞれの前記高周波コイルの高周波電力導入出部を中心対称の位置に設け、前記高周波コイルに接続された位相制御結合部を通して同じ位相の高周波電力を印加する
ことを特徴とする反応性イオンエッチング装置。
【発明の詳細な説明】
【０００１】
【発明の属する技術分野】
本発明は、プラズマを利用して、半導体上或いは電子部品、その他の基板上の物質をエッチングする反応性イオンエッチング装置に関するものである。
【０００２】
【従来の技術】
従来技術において用いられてきた誘導結合放電エッチング装置は、図４に示すように、真空チャンバーＡ内に放電プラズマを発生するための１重のコイルからなるアンテナＢを真空チャンバーＡの側壁Ａ１の外側に設け、この高周波アンテナＢにプラズマ発生用高周波電源Ｃから高周波電力を印加し、ハロゲン系のガスを主体とするエッチングガスが流量制御器を通して上部天板Ａ２付近の周囲より導入され、気体を真空チャンバーＡ内に導入し、低圧でプラズマを形成すると共に導入気体を分解し、発生した原子、分子、ラジカル、イオンを積極的に利用し、プラズマに接する基板電極Ｄに高周波電源Ｅから高周波電場を印加して基板電極Ｄ上に載置された基板をエッチングするように構成されている。
【０００３】
また、図５には、本願発明者らが、先に特開平７−２６３１９２号において提案した磁気中性線放電エッチング装置を示す。この先に提案した装置は、真空チャンバーＡの上部の誘電体円筒壁Ａ１の外側に載置された３つの磁場コイルＦ、Ｇ、Ｈによって真空チャンバーＡ内部に磁気中性線Ｉが形成され、この磁気中性線Ｉに沿って、中間の磁場コイルＧの内側に配置された１重のアンテナＢにアンテナ用高周波電源Ｃから高周波電場を印加することによりリング状のプラズマが形成されるように構成されている。また、エッチングガスは流量制御器を通して上部天板Ａ２付近の周囲より導入され、コングクタンスバルブの開口率によって圧力が制御される。真空チャンバーＡの下部の基板電極Ｄにはバイアス用高周波電源Ｅから高周波電力が印加される。
【０００４】
このような構成した図５に示される磁気中性線放電エッチング装置について説明する。
エッチングガスは真空チャンバーＡの上部フランジ付近から導入され、誘電体円筒壁Ａ１の外側と中間の磁場コイルＧとの間に配置された１重のアンテナＢに高周波電力を印加することによりプラズマが形成されて導入ガスが分解される。真空チャンバーＡの下部の基板電極Ｄにはバイアス用高周波電源Ｅからバイアス用の高周波電力が印加される。ブロッキングコンデンサーによって浮遊状態になっている基板電極Ｄは負のセルフバイアス電位となり、プラズマ中の正イオンが引き込まれて基板上の物質をエッチングする。
【０００５】
この場合、高周波アンテナコイルＢとしては１重巻きのものが一般に用いられる。径が３００φより小さければ２重巻きも可能であるが、基板電極が８インチより大きくなるとエッチング均一性を得るためにプラズマソース部も大きくなる。高周波アンテナコイルＢの径が３００φより大きくなると、高周波アンテナコイルＢのインダクタンスが大きくなるため１重のアンテナにしないとマッチング条件が得られない。そのため、３ＯＯφより大きな誘電体隔壁を備えた誘導結合放電装置においては１重のアンテナが用いられているのである。
【０００６】
磁気中性線放電では、真空中にリング状に形成される磁気中性線Ｉの部分に密度の高いプラズマを形成するため、リング状磁気中性線Ｈに沿って形成される誘導電場を有効利用するものである。この方法によって、容易に１０１１ｃｍ−３の荷電粒子密度を持つプラズマが形成される。
【０００７】
【発明が解決しようとする課題】
アンテナ径が３００φより大きくなると、アンテナのインダクタンスが大きくなるため多重シリアルアンテナではマッチング条件が得られない。そのため、３００ φより大きな誘電体隔壁を備えた誘導結合放電装置においては一般に１重のアンテナが用いられている。１重のアンテナが用いられたとき、アンテナへの電力導入出力部におけるプラズマ均一性ひいては基板エッチング均一性が問題となる。
【０００８】
アンテナに電力が印加されたときのプラズマの密度分布は、電力入出力部に隙間があるため、電力入出力部において低くなることがこれまでの実験で判明している。また、プラズマシミュレーシヨンによっても指摘されている（田所、沖川、鍋田、伊藤、中野、Ｐｅｔｒｏｖｉｃ、真壁；第44回応用物理学会関係連合講演会講演予稿、３０ｐ−Ｎ−７、(１９９７)参照）。
【０００９】
そこで、本発明は、上記の問題を解決して高い均一性のプラズマを形成することができ、それにより高均一なエッチングを可能とする反応性イオンエッチング装置を提供することを目的としている。
【００１０】
【課題を解決するための手段】
上記目的を達成するために、本発明による反応性イオンエッチング装置においては、アンテナを並列に配置し、各アンテナへの電力導入出力部を中心対称に設けると共に、電力導入部までの位相を制御するため分岐部の位置調整ができるようにして、並列に配置したアンテナに高周波電力を印加するように構成される。
【００１１】
本発明によれば、真空チャンバー内に連続して存在する磁場ゼロの位置である環状磁気中性線を形成するための磁場発生手段と、前記磁気中性線に沿って交番電場を加えて前記磁気中性線に放電プラズマを発生するための高周波コイルとを備えたプラズマ発生装置を有し、ハロゲン系のガスを主体とする気体を前記真空チャンバー内に導入し、プラズマを形成するとともに導入気体を分解し、発生した原子、分子、ラジカル、イオンの少なくともいずれかを利用し、前記プラズマに接する基板電極に交番電場或いは高周波電場を印加して前記基板電極上に載置された基板をエッチングする反応性イオンエッチング装置において、
前記プラズマ発生装置の設けられる前記真空チャンバー部分の壁部を円筒状の誘電体で構成し、前記誘電体の外部に前記磁場発生手段を配置して、前記真空チャンバー内に前記環状磁気中性線を形成し、
前記真空チャンバー内の下部に高周波バイアスを印加する前記基板電極を設け、
前記プラズマを発生するための少なくとも一対の前記高周波コイルを、前記真空チャンバーの前記円筒状の誘電体と前記磁場発生手段の間であって、前記磁気中性線が形成される面に平行に配置し、それぞれの前記高周波コイルの高周波電力導入出部を中心対称の位置に設け、前記高周波コイルに接続された位相制御結合部を通して同じ位相の高周波電力を印加する
ことを特徴としている。
【００１２】
【実施例】
以下、添付図面の図１〜図３を参照して本発明の実施例について説明する。
図１には本発明の反応性イオンエッチング装置の一実施例を示し、磁気中性線放電型として構成されている。図示エッチング装置において、１は真空チャンバーで、上部のプラズマ発生部１ａと基板電極部１ｂとを備え、基板電極部１ｂには排気口が設けられている。プラズマ発生部１ａは円筒形の側壁２を備え、この側壁２の外側には、真空チャンバ−１内にプラズマを発生させる高周波アンテナ３が配置され、各高周波アンテナ３は並列対称配置され、そして位相制御結合部４を介してプラズマ発生用高周波電源５に接続され、真空チャンバー１の上部のプラズマ発生部１ａ内に放電プラズマを発生するようにしている。
【００１３】
真空チャンバー１の上部のプラズマ発生部１ａの天板６は側壁２の上部フランジに密封固着され、またこの天板６の周囲部には真空チャンバ−１内へエッチングガスを導入するガス導入口７が設けられ、このガス導入口７は図示してないガス供給通路及びエッチングガスの流量を制御するガス流量制御装置を介してエッチングガス供給源に接続される。
【００１４】
また真空チャンバ−１のプラズマ発生部１ａの下部の基板電極部１ｂ内には基板電極８が絶縁体部材９を介して設けられ、この基板電極８はＲＦバイアスを印加する高周波電源１０に接続されている。
【００１５】
真空チャンバー１の上部のプラズマ発生部１ａの円筒形の側壁２は誘電体で構成され、この側壁２の外側でしかも並列対称配置された高周波アンテナ３の外側には、真空チャンバ−１内に磁気中性線を形成するための磁場発生手段を構成している三つの磁場コイル１１、１２、１３が設けられ、真空チャンバー１の上部のプラズマ発生部１ａ内に磁気中性線１４を形成する。
【００１６】
プラズマ発生用の高周波アンテナ３は、三つの磁場コイル１１〜１３によって真空チャンバー１の上部のプラズマ発生部１ａ内に形成された磁気中性線１４に沿って交番電場を加えてこの磁気中性線に放電プラズマを発生するようにしている。
【００１７】
図２には、並列対称配置アンテナ３を断面拡大図で示し、図３には電力導入の摸式図を示す。１重アンテナを用いたときには、電力入出力部に間隙があるため、その部におけるプラズマへの電力投入が弱くプラズマ密度が低くなる。しかし、図２に示すように２本のアンテナに互いに反対の位置から高周波電力を投入することによってそれぞれの電力入出力部におけるプラズマ密度の低下を補うことができる。この時、重要なのは、２本のアンテナ３間に位相のズレを発生させないように位相制御することである。位相制御の最も簡単な方法は高周波電源からアンテナまでの配線長を同じにすることである。しかし、現実問題として浮遊容量等があるため配線長を同じにしても配線におけるインピーダンスを同じにすることは難しい。そのため、分岐部すなわち位相制御結合部４においてコンデンサー及びインダクタンスコイルによって各アンテナ部のインピーダンスマッチング調整を行えるようにした。この結果、従来の１重巻きアンテナの時に比べて、プラズマ密度の均一性が向上する。
【００１８】
このように構成した図１に示す装置において、プラズマ発生用高周波電源５(１３．５６ＭＨｚ)の電力を２．０ｋＷ、基板バイアス高周波電源１０(８００ｋＨｚ)の電力を６００Ｗ、Ａｒ９０ｓｃｃｍ(８５％)、Ｃ４Ｆ８１０ｓｃｃｍ(１５％)を導入し、３ｍＴｏｒｒの圧力下でエッチングしたところ、７５０ｎｍ／ｍｉｎのエッチング速度が得られ、±２％と言う非常に均一なエッチング分布になっていることが判った。１重のアンテナを用いたときには、同条件下で５６０ｎｍ／ｍｉｎ±５％であつた。
【００１９】
エッチ速度が増加したのは、並列対称配置した２本のアンテナ３に電力が印加されることによって、インピーダンスが減少して高周波電力が増加し、効率よく誘導電場が形成されたためと思われる。
【００２０】
図示実施例ではエッチング装置に適用した例を述べたが、同様な効果はプラズマＣＶＤ装置を用いたときでも期待できることは言うまでもない。
【００２１】
【発明の効果】
以上説明してきたように、本発明による反応性イオンエッチング装置においては、プラズマを発生するための高周波コイルを並列に配置し、高周波コイルに対するそれぞれの高周波電力導入出部を中心対称の位置に設け、位相制御結合部を通して高周波電力を印加するように構成しているので、並列対称配置アンテナに高周波電力を印加しアンテナ間の位相を制御して、適当な電力領域でエッチングすることにより高い均一性のプラズマを形成することができ、高均一なエッチングが出来る。従って、半導体や電子部品加工に用いられている反応性イオンエッチングプロセスに大きく貢献できる装置が提供される。
【図面の簡単な説明】
【図１】  本発明の一実施例を示す概略線図。
【図２】  本発明によるエッチング装置の要部の構成を示す拡大部分図。
【図３】  本発明によるエッチング装置における並列対称配置アンテナへの電力導入の仕方を示す模式図。
【図４】  従来の誘導結合放電型エッチング装置を示す概略線図。
【図５】  従来の磁気中性線放電型エッチング装置を示す概略線図。
【符号の説明】
１：真空チャンバー
２：円筒形の側壁
３：二重巻高周波アンテナ
４：位相制御結合部
５：プラズマ発生用高周波電源
６：天板
７：ガス導入口
８：基板電極
９：絶縁体部材
10：高周波電源
11〜13：磁場コイル
【図１】
0003832934.tif 000002
【図２】
0003832934.tif 000003
【図３】
0003832934.tif 000004
【図４】
0003832934.tif 000005
【図５】
0003832934.tif 000006